(57)【要約】【課題】空気流通部を開閉する開閉弁によって、空気流通部を閉塞したときに下枠と下框との間を水密できるようにした建具とする。【解決手段】扉体２の下框２１に空気流通部３０を開閉する開閉弁４０を取付け、この開閉弁４０が空気流通部３０を閉塞した閉じ位置のときに、その開閉弁４０を枠体１の下枠１１の上面１１ａに接して下枠１１と下框２１との間を水密するようにする。【選択図】図４
2010144472.tif 000002
【特許請求の範囲】
【請求項１】
枠体に扉体を開閉自在に取付けた建具であって、
前記扉体の框に、面外方向の一側面と面外方向の他側面とに連通した空気流通部を形成し、
前記框に開閉弁を、前記空気流通部を開放する開き位置と、前記空気流通部を閉塞する閉じ位置とに亘って移動自在に取付け、
前記開閉弁が閉じ位置のときに、その開閉弁が枠体の枠に接して枠と框との間を水密するようにしたことを特徴とする建具。
【請求項２】
枠体に扉体を開閉自在に取付けた建具であって、
前記扉体の下框に、面外方向の一側面と面外方向の他側面とに連通した空気流通部を形成し、
前記下框に開閉弁を、前記空気流通部を開放する開き位置と、前記空気流通部を閉塞する閉じ位置とに亘って移動自在に取付け、
前記開閉弁が閉じ位置のときに、その開閉弁が枠体の下枠に接して下枠と下框との間を水密するようにしたことを特徴とする建具。
【請求項３】
前記下框の面外方向一側寄りに開閉弁を取付け、この開閉弁によって、下枠の面外方向一側寄りと下框の面外方向一側寄りとの間を水密し、
前記下枠の面外方向他側寄りと下框の面外方向他側寄りとの間を水密するシール材を設けた請求項２記載の建具。
【請求項４】
前記下框の面外方向の一側板の下端部と下枠の上面との間を一側通気口とし、前記下框の面外方向の他側板に他側通気口を形成し、この他側通気口と一側通気口を連通して空気流通部とし、
前記一側板の下端部に、開閉弁の基端部を上下揺動自在に取付け、その開閉弁の先端部を下枠の上面に接して閉じ位置とする請求項２又は３記載の建具。
【請求項５】
前記下框の一側板の下端部は他側板の下端部よりも上方に位置し、
前記一側通気口よりも他側通気口が高い位置とした請求項４記載の建具。
【請求項６】
前記扉体の縦框と下框を、その縦框の内側面と下框の長手方向の端面を接して連結し、
前記開閉弁の全長を下框の全長よりも短くして、その開閉弁の長手方向の端面と縦框の内側面との間に隙間を形成し、
前記下框に連結用ブロックを縦框の内側面に接するように取付け、この連結用ブロックで、前記開閉弁の端面と縦框の内側面との間の隙間を閉塞するようにした請求項２〜５いずれか１項に記載の建具。
【請求項７】
前記開閉弁は、硬質部と、この硬質部の先端部に設けた軟質部を有した板状で、
前記硬質部の基端部を下框に上下揺動自在に取付け、その軟質部の先端部を下枠の上面に接して閉じ位置とするようにした請求項２〜６いずれか１項に記載の建具。
【発明の詳細な説明】
【技術分野】
【０００１】
本発明は、浴室用の折れ戸、浴室用の開き戸などの枠体に扉体を開閉自在に取付けた建具に関する。
【背景技術】
【０００２】
従来、浴室用の建具においては、空気流通機能を有する扉体を用いて、浴室換気時に脱衣室の空気が浴室に流入するようにしたり、扉体開き時又は閉じ時に空気が扉体を流通して扉体を軽い力で開閉操作できるようにしている。
例えば、特許文献１に開示したように、扉体の下框に空気流通部（通気口）を形成すると共に、その空気流通部を開閉する開閉弁（開閉板）を下框に取付け、通常時には開閉弁を空気流通部を閉じる閉じ位置に保持し、浴室（一方の部屋）と脱衣室（他方の部屋）の空気圧差によって開閉弁が空気流通部を開く開き位置に揺動するようにして扉体が空気流通機能を有するようにした建具が提案されている。
【特許文献１】特開平１１−６２４０８号公報
【発明の開示】
【発明が解決しようとする課題】
【０００３】
前述した従来の建具においては、下框の空気流通部の下開口縁にシール材（防水パッキン）を装着し、開閉弁が閉じ位置のときにシール材に接して水密することで、浴室でシャワーを使用した際に、そのシャワーの湯水が空気流通部を通って脱衣室に流れ込まないようにしている。
また、枠体の下枠と扉体の下框との間からシャワーの湯水や、浴槽からあふれた湯が脱衣室に流れないようにするために、前記下枠と下框との間をシール材で水密している。
【０００４】
前述の建具においては、開閉弁が開き位置で空気流通部が開放しているときには、脱衣室の空気圧が浴室の空気圧より高いので、シャワーの湯水、浴槽からあふれた湯が枠体の下枠と扉体の下框との間から脱衣室に流れにくいので、前述した下枠と下框との間の水密は問題ないが、前記開閉弁が閉じ位置で空気流通部が閉塞しているときには、脱衣室と浴室の空気圧に差がなく、前述したシャワーの湯水、浴槽からあふれた湯が前記下枠と下框との間から脱衣室に流れ易いので、前述した下枠と下框との間の水密は重要である。
前述した下枠と下框との間の水密はシール材のシール性能によって決定されるから、前記下枠と下框との間の水密を優れたものにするには、シール材のシール性能を良くしなければならず、その水密のための構造が高価となる。
例えば、前記下枠と下框の面外方向一側部を一側シール材で水密し、下枠と下框の面外方向他側部を他側シール材で水密して水密性を優れたものとしているので、その水密のための構造が高価となる。
【０００５】
本発明の目的は、扉体の框の空気流通部が閉塞しているときに、開閉弁によって枠と框との間の水密を優れたものにできるようにした建具とすることである。
【課題を解決するための手段】
【０００６】
本発明は、枠体に扉体を開閉自在に取付けた建具であって、
前記扉体の框に、面外方向の一側面と面外方向の他側面とに連通した空気流通部を形成し、
前記框に開閉弁を、前記空気流通部を開放する開き位置と、前記空気流通部を閉塞する閉じ位置とに亘って移動自在に取付け、
前記開閉弁が閉じ位置のときに、その開閉弁が枠体の枠に接して枠と框との間を水密するようにしたことを特徴とする建具である。
【０００７】
本発明は、枠体に扉体を開閉自在に取付けた建具であって、
前記扉体の下框に、面外方向の一側面と面外方向の他側面とに連通した空気流通部を形成し、
前記下框に開閉弁を、前記空気流通部を開放する開き位置と、前記空気流通部を閉塞する閉じ位置とに亘って移動自在に取付け、
前記開閉弁が閉じ位置のときに、その開閉弁が枠体の下枠に接して下枠と下框との間を水密するようにしたことを特徴とする建具とすることができる。
【０００８】
本発明においては、前記下框の面外方向一側寄りに開閉弁を取付け、この開閉弁によって、下枠の面外方向一側寄りと下框の面外方向一側寄りとの間を水密し、
前記下枠の面外方向他側寄りと下框の面外方向他側寄りとの間を水密するシール材を設けることができる。
このようにすれば、開閉弁が開き位置のときに、下枠と下框との間をシール材で水密することができる。
【０００９】
本発明においては、前記下框の面外方向の一側板の下端部と下枠の上面との間を一側通気口とし、前記下框の面外方向の他側板に他側通気口を形成し、この他側通気口と一側通気口を連通して空気流通部とし、
前記一側板の下端部に、開閉弁の基端部を上下揺動自在に取付け、その開閉弁の先端部を下枠の上面に接して閉じ位置とすることができる。
このようにすれば、開閉弁が閉じ位置のときに、その開閉弁の先端部が下枠の上面に均一に接するから、下枠と下框との間の水密をより一層優れたものにできる。
【００１０】
本発明においては、前記下框の一側板の下端部は他側板の下端部よりも上方に位置し、
前記一側通気口よりも他側通気口が高い位置とすることができる。
このようにすれば、一側通気口の上下寸法が大きく、開閉弁の上下寸法が大きく空気圧が作用する面積が大きいので、開閉弁は小さな空気圧差によっても上下に揺動するから、開閉弁はスムーズに、確実に開き位置と閉じ位置に移動する。
しかも、下框の他側板の下端部と下枠の上面との間隔は小さいので、下枠、下框の面外方向他側寄り間を水密するシール材の高さ寸法を小さくできる。
また、開閉弁が開き位置のときに、扉体の一側方から一側通気口に流入した湯水などが他側通気口から扉体の他側方に流れることがない。
【００１１】
本発明においては、前記扉体の縦框と下框を、その縦框の内側面と下框の長手方向の端面を接して連結し、
前記開閉弁の全長を下框の全長よりも短くして、その開閉弁の長手方向の端面と縦框の内側面との間に隙間を形成し、
前記下框に連結用ブロックを縦框の内側面に接するように取付け、この連結用ブロックで、前記開閉弁の端面と縦框の内側面との間の隙間を閉塞するようにできる。
このようにすれば、開閉弁の長手方向の端面が縦框に接しないのでスムーズに上下に揺動する。
また、開閉弁の端面と縦框の内側面との間に隙間を通って扉体の一側方から他側方に湯水などが流れることがない。
【００１２】
本発明においては、前記開閉弁は、硬質部と、この硬質部の先端部に設けた軟質部を有した板状で、
前記硬質部の基端部を下框に上下揺動自在に取付け、その軟質部の先端部を下枠の上面に接して閉じ位置とするようにできる。
このようにすれば、硬質部の基端部を中心として開閉弁が確実に上下に揺動し、軟質部の先端部が下枠の上面に接するから、下枠と下框との間の水密をより一層優れたものにできる。
【発明の効果】
【００１３】
本発明によれば、扉体の框に取付けた開閉弁が閉じ位置のときに、その開閉弁が枠に接して枠と框との間を水密するので、扉体の框の空気流通部が閉塞しているときに、開閉弁によって枠と框との間の水密を優れたものにできる。
【００１４】
また、框を下框、枠を下枠とした本発明によれば、扉体の下框に取付けた開閉弁が閉じ位置のときに、その開閉弁が下枠に接して下枠と下框との間を水密するので、扉体の下框の空気流通部が閉塞しているときに、開閉弁によって下枠と下框との間の水密を優れたものにできる。
【発明を実施するための最良の形態】
【００１５】
図１、図２、図３に示すように、枠体１に扉体２が開閉自在に取付けて建具としてある。
前記枠体１は、上枠１０と下枠１１と左右の縦枠１２を方形状に連結してある。
前記扉体２は、上框２０と下框２１と左右の縦框２２を方形状に連結し、その内部に面材２３が装着してある。
例えば、図２、図３に示すように、上框２０、下框２１、左右の縦框２２の面外方向一側寄りに内向き凹部２０ａ，２１ａ，２２ａを有し、この内向き凹部２０ａ，２１ａ，２２ａは四周連続している。
前記面材２３は、その周縁部が、前記四周連続した内向き凹部２０ａ，２１ａ，２２ａ内に装着され、接着剤などで固着してある。
なお、面材２３の装着は、前述に限ることはない。
【００１６】
前記扉体２は、左右一方の縦框２２を枠体１に、ヒンジ３によって開き位置と閉じ位置に亘って面外方向に回動自在に取付け、左右他方の縦框２２に取付けた把手４を持って扉体２を開閉できるようにして、建具を開き戸としてある。
この実施の形態は浴室用の建具で、扉体２は浴室側に回動して開き位置となる。
【００１７】
前記下框２１は、図２に示すように、面外方向の一側面２１ｂ（例えば、浴室側面）と面外方向の他側面２１ｃ（例えば、脱衣室側面）とを連通した空気流通部３０を有し、この空気流通部３０を通して扉体２の面外方向の一側方（浴室側）と面外方向の他側方（脱衣室側）とに空気が流通するようにしてある。
前記下框２１には、前記空気流通部３０を開閉する開閉弁４０が取付けてある。
前記開閉弁４０は、図２に実線で示す空気流通部３０を開放（つまり、空気流通部３０に空気が流通する状態）する開き位置と、図２に仮想線で示すように空気流通部３０を閉塞（つまり、空気流通部３０に空気が流通しない状態）する閉じ位置とに亘って移動する。
前記開閉弁４０が閉じ位置のときには、その開閉弁４０が下枠１１に接し、その下枠１１と下框２１との間を水密する。
【００１８】
例えば、前記開閉弁４０はポリプロピレン等の硬質樹脂製の硬質部４１と、エラストマーなどの軟質樹脂製の軟質部４２を備えた板状で、その硬質部４１の基端部（軟質部４２と連続した部分と反対側の部分）４１ａが下框２１に上下方向に揺動自在に取付け、軟質部４２の先端部４２ａが下枠１１の上面１１ａに接して空気流通部３０を閉塞するようにしてある。
【００１９】
このように、空気流通部３０を開閉する開閉弁４０によって、空気流通部３０が閉塞しているときに、下枠１１と下框２１との間を水密し、その水密を優れたものにしているので、その下枠１１と下框２１との間を水密するための構造を安価にできる。
なお、図２においては下枠１１と下框２１との間における面外方向の一側寄りを開閉弁４０でシールし、かつ面外方向の他側寄りをシール材５で水密しているが、このシール材５は、開閉弁４０が開き位置で、空気流通部３０が開放しているときに下枠１１と下框２１の間を水密するものである。
【００２０】
また、開閉弁４０を前述のように硬質部４１と軟質部４２を有するものとすれば、硬質部４１によって開閉弁４０を下框２１に上下揺動自在に装着することができると共に、軟質部４２によって下枠１１との間を確実にシールすることができる。
しかも、開閉弁４０を２色成形と呼ばれる硬質樹脂と軟質樹脂を用いて１度に成形することができるので、その開閉弁４０を簡単に製作できる。
また、軟質部４２の下枠１１と接する部分には摺動処理が施されており、扉体２のスムーズな開閉を妨げることがない。
【００２１】
次に、各部を詳細に説明する。
前記下框２１は図４に示すように、面外方向の一側板２４と面外方向の他側板２５と上横板２６と中間連結横板２７で、上中空部２８と下向溝部２９を有している。前記上横板２６にビスホール２１ｄが形成してある。
前記一側板２４の下端部２４ａが下枠１１の上面１１ａと対向し、両者の間が前記下向溝部２９に開口した一側通気口３１である。
前記他側板２５には上中空部２８に開口した他側通気口３２を有している。この実施の形態では他側板２５の上端部２５ａと上横板２６の他側部２６ａが不連続で、その両者の間が他側通気口３２である。
前記中間連結横板２７には上中空部２８と下向溝部２９を連通する中間通気口３３が長手方向に間隔を置いて複数形成される。
前記一側通気口３１、中間通気口３３、他側通気口３２が連通して前述の空気流通部３０としてある。
前記一側通気口３１、他側通気口３２は下框２１の長手方向全長に亘って連続している。
【００２２】
前記下框２１の一側板２４の下端部２４ａに開閉弁４０の基端部が上下揺動自在に取付けてある。
この開閉弁４０は、浴室と脱衣室との空気圧に差がないときには、自重によって下方に揺動して図４に仮想線で示すように、開閉弁４０の先端部が下枠１１の上面１１ａに接して閉じ位置となり、前記一側通気口３１を閉じて空気流通部３０を閉塞する。
また、脱衣室の空気圧が浴室の空気圧よりも高いとき、例えば浴室を換気したとき、扉体２を開放したときには、前記開閉弁４０は図４に実線で示すように上方に揺動し、一側通気口３１を開いて空気流通部３０を開放する。
【００２３】
このように、下框２１の一側板２４の下端部２４ａに開閉弁４０の基端部を取付け、先端部を下枠１１の上面１１ａに接するようにしたので、その開閉弁４０の中間部分が下框２１などに触れることがなく、開閉弁４０の先端部が下枠１１の上面１１ａに隙間なく均一に接して下枠１１と下框２１との間の水密をより一層優れたものにできる。
【００２４】
前記下框２１の一側板２４の下端部２４ａは、他側板２５の下端部２５ｂよりも上方に位置し、前記一側通気口３１の上下寸法を大きくしてある。
これによって、開閉弁４０の上下寸法が大きく、空気圧が作用する面積が大きいので、小さな空気圧差によって上方に揺動して開き位置に移動するから、開閉弁４０はスムーズに、確実に開き位置と閉じ位置に移動する。
しかも、下框２１の他側板２５の下端部２５ｂと下枠１１の上面１１ａとの間隔は小さく、シール材５の高さ寸法を小さくできる。
【００２５】
前記他側通気口３２は一側通気口３１よりも高い位置であるから、開閉弁４０が開き位置のときに一側通気口３１から流入したシャワーの湯水、浴槽からあふれた湯が他側通気口３２から脱衣室側に流れることがない。
【００２６】
次に、前記開閉弁４０について詳細に説明する。
図４に示すように、前記開閉弁４０の硬質部４１の基端部４１ａは断面ほぼ円形で、その基端部４１ａが前記下框２１の一側板２４の下端部２４ａに形成したほぼ円形状の凹陥部２４ｂに上下回動自在に嵌合して取付けてある。
このようにすることで、開閉弁４０を下框２１に簡単に取付けできる。
【００２７】
図５に示すように、硬質部４１の厚さｔ１は軟質部４２の厚さｔ２よりも厚くなっている。
これによって、硬質部４１の剛性がよりアップして下框２１に揺動自在に取付け易いし、軟質部４２は変形し易く、下枠１１の上面１１ａに均一に接する。
前記軟質部４２の硬質部４１寄りの部分４２ｂは、板厚がｔ１からｔ２に順次小さくなっている。
前記軟質部４２の先端部分４２ｃは円弧形状に湾曲している。
これによって、軟質部４２の先端部分４２ｃが広い面積で下枠１１の上面１１ａに接すると共に、軟質部４２の板厚ｔ２が薄くても反ったりせずに、所定の形状を維持することができる。
前記軟質部４２の先端部４２ａは、ほぼ断面円形状で、成形し易くしてある。
【００２８】
次に、下框２１と縦框２２の連結について説明する。
図６、図７、図８に示すように、下框２１の長手方向両端部に連結用ブロック５０が取付けてある。
この連結用ブロック５０を縦框２２の面内方向の内側面２２ｂに接し、ビス６を縦框２２から下框２１のビスホール２１ｄに螺合して下框２１の長手方向の端面２１ｅを縦框２２の内側面２２ｂに押しつけて下框２１と縦框２２を連結している。
前記連結用ブロック５０の下部は下框２１の一側板２４の下端部２４ａよりも下方に突出している。
前記開閉弁４０が閉じ位置のときに、その開閉弁４０の裏面（面外方向他側面）４０ａにおける長手方向両端部が、前記連結用ブロック５０の下部における面外方向の一側面５０ａと対向し、その裏面４０ａと一側面５０ａとの間に隙間を有している。
【００２９】
前記開閉弁４０の全長は下框２１の全長よりも短く、その開閉弁４０の長手方向の端面４０ｂと縦框２２の内側面２２ｂとの間に隙間Ｓがある。
これによって、開閉弁４０が開き位置と閉じ位置とに亘って上下に揺動し易い。つまり、開閉弁４０の端面４０ｂが縦框２２の内側面２２ｂに接触すると、その開閉弁４０が上下に揺動するときの抵抗となるので、上下に揺動し難い。
【００３０】
また、前記開閉弁４０の裏面４０ａは連結用ブロック５０の一側面５０ａと対向しているので、前述の開閉弁４０の端面４０ｂと縦框２２の内側面２２ｂとの間の隙間Ｓは連結用ブロック５０で閉塞される。
したがって、開閉弁４０が閉じ位置のときに、前述の隙間からシャワーの湯水、浴槽からあふれた湯などが脱衣室側に浸入することがない。
また、縦框２２の下端面と下枠１１との間の隙間に前述したシャワーの湯水、浴槽からあふれた湯などが浸入するが、前述のシール材５によって脱衣室側に浸入することがない。
【００３１】
前記連結用ブロック５０は、下框２１の上中空部２８と下向溝部２９に嵌合する本体５１と、この本体５１に設けた縦板５２、円形板５３を有している。
前記縦板５２と円形板５３は、本体５１の面内方向の一端面５１ａよりも面内方向一端方に突出している。
前記本体５１は、下框２１の上中空部２８に嵌合する上部分５４と、下向溝部３９に嵌合する下部分５５を有し、その下部分５５の面外方向の一側面が前述の一側面５０ａである。
前記縦框２２は、面外方向の一側板６０と他側板６１と、面内方向の一端板６２と他端板６３で中空部を有する中空長尺材で、その一端板６２の面外方向一側寄りに内向き凹部２２ａを有していると共に、前記一端板６２にビス挿通孔６４と大径孔６５を有し、他端板６３には工具挿入孔６６を有している。
【００３２】
前記連結用ブロック５０の本体５１における上部分５４と、下部分５５を下框２１の上中空部２８、下向溝部２９にそれぞれ嵌合し、本体５１の一端面５１ａが下框２１の端面２１ｅと面一で、縦板５２、円形板５３が下框２１の端面２１ｅよりも突出して取付ける。
そして、ビス６で縦框２２と下框２１を連結することで、前記連結用ブロック５０の円形板５３が大径孔６５に嵌合し、前記本体５１の一端面５１ａが縦框２２の内側面２２ｂに接すると共に、前記縦板５２が縦框２２の内向き凹部２２ａ内に挿入し、その縦板５２の上端面５２ａに面材２３の下面が接する。
これによって、縦框２２の内向き凹部２２における面材２３が装着されない下部分から、前述のシャワーの湯水、浴槽からあふれた湯などが脱衣室側に浸入することがない。
なお、前記連結用ブロック５０は図４には図示を省略してある。
【００３３】
前述の実施の形態では、下框２１の一側板２４と下枠１１の上面１１ａとの間を一側通気口３１としたが、下框２１自体に一側通気口３１を形成しても良い。
例えば、図９に示すように、下框２１を下横板７０を有し、その下横板７０の面外方向の一側端部７０ａと一側板２４の下端部２４ａとの間を一側通気口３１とする。
この場合には、開閉弁４０が閉じ位置のときに、その上下中間部（軟質部４２）を下横板７０の一側端部７０ａに接すると共に、先端部４２ａを下枠１１の上面１１ａに接するようにしても良い。
なお、開閉弁４０の上下中間部を下横板７０の一側端部７０ａに接しないようにしても良い。
【００３４】
前述の実施の形態では、下框２１に空気流通部３０を形成し、開閉弁４０を下框２１に取付けて下枠１１との間での換気構造について記述したが、同様の構造を上框２０と上枠１０、および縦框２２と縦枠１２に利用しても良い。
例えば、上框２０に空気流通部３０を形成し、開閉弁４０を上框２０に取付けて空気流通部３０を閉塞したときに上枠１０に接し、その上枠１０と上框２０との間を水密するようにする。
また、縦框２２に空気流通部３０を形成し、開閉弁４０を縦框２２に取付けて空気流通部３０を閉塞したときに縦枠１２に接し、その縦框２２と縦枠１２との間を水密するようにする。
要するに、本発明は、扉体２を形成する框に空気流通部３０を形成すると共に、開閉弁４０を取付け、その開閉弁４０が空気流通部３０を閉塞したときに、その開閉弁４０が枠体１を形成する枠に接し、その枠と前記框との間を水密するようにした建具である。
【図面の簡単な説明】
【００３５】
【図１】建具の全体正面図である。
【図２】図１のＡ−Ａ断面図である。
【図３】図１のＢ−Ｂ断面図である。
【図４】開閉弁取付部分の拡大断面図である。
【図５】開閉弁の拡大図である。
【図６】扉体の縦框と下框の連結部の拡大正面図である。
【図７】図６のＣ−Ｃ断面図である。
【図８】縦框と連結用ブロックと下框の分解斜視図である。
【図９】下框の形状が異なる実施の形態の開閉弁取付部分の断面図である。
【符号の説明】
【００３６】
１…枠体、２…扉体、１１…下枠、１１ａ…上面、１２…縦枠、２１…下框、２１ｂ…一側面、２１ｃ…他側面、２１ｅ…端面、２２…縦框、２２ｂ…内側面、３０…空気流通部、３１…一側通気口、３２…他側通気口、４０…開閉弁、４０ａ…裏面、４０ｂ…端面、４１…硬質部、４１ａ…基端部、４２…軟質部、４２ａ…先端部、４２ｃ…先端部分、５０…連結用ブロック、５０ａ…一側面。
【図１】
2010144472.tif 000003
【図２】
2010144472.tif 000004
【図３】
2010144472.tif 000005
【図４】
2010144472.tif 000006
【図５】
2010144472.tif 000007
【図６】
2010144472.tif 000008
【図７】
2010144472.tif 000009
【図８】
2010144472.tif 000010
【図９】
2010144472.tif 000011